【手続補正書】
【提出日】平成15年12月19日(2003.12.19)
【手続補正１】
【補正対象書類名】明細書
【補正対象項目名】特許請求の範囲
【補正方法】変更
【補正の内容】
【特許請求の範囲】
【請求項１】
高周波回路部の直線性歪みに関する歪み特性を予め評価する高周波回路歪み特性評価手段と、
該歪み特性の評価結果に基づいて得られる歪み補正関数を所定の入力信号に施し、該入力信号を前記高周波回路部に供給して該高周波回路部の直線性歪みを補正するための入力信号処理部とを備えることを特徴とする信号補正装置。
【請求項２】
高周波回路部の振幅直線性歪みおよび位相直線性歪みの少なくとも一方に関する歪み特性を予め評価する高周波回路歪み特性評価手段と、
該歪み特性の評価結果に基づいて得られる振幅歪み補正関数および位相歪み補正関数の少なくとも一方を所定の入力信号に施し、該入力信号を前記高周波回路部に供給して該高周波回路部の振幅直線性歪みおよび位相直線性歪みの少なくとも一方を補正するための入力信号処理部とを備えることを特徴とする信号補正装置。
【請求項３】
高周波回路部の直線性歪みに関する歪み特性を予め評価する高周波回路歪み特性評価手段と、
該歪み特性の評価結果に基づいて得られる歪み補正関数を所定の入力信号に施し、該入力信号を前記高周波回路部に供給して該高周波回路部の直線性歪みを補正するための入力信号処理部とを有する信号補正装置を備えた送信器において、
前記高周波回路部から、前記直線性歪みが補正された特定の周波数帯域の信号を送信するように構成されることを特徴とする送信器。
【請求項４】
高周波回路部の振幅直線性歪みおよび位相直線性歪みの少なくとも一方に関する歪み特性を予め評価する高周波回路歪み特性評価手段と、
該歪み特性の評価結果に基づいて得られる振幅歪み補正関数および位相歪み補正関数の少なくとも一方を所定の入力信号に施し、該入力信号を前記高周波回路部に供給して前記高周波回路部の振幅直線性歪みおよび位相直線性歪みの少なくとも一方を補正するための入力信号処理部とを有する信号補正装置を備えた送信器において、
前記高周波回路部から、前記振幅直線性歪みおよび前記位相直線性歪みの少なくとも一方が補正された特定の周波数帯域の信号を送信するように構成されることを特徴とする送信器。
【請求項５】
狭帯域増幅器の振幅直線性歪みおよび位相直線性歪みの少なくとも一方に関する歪み特性を予め評価する高周波回路歪み特性評価手段と、
前記歪み特性の評価結果に基づいて設定されたディジタルフィルタにより所定のローパス特性を持たせたローパス信号を入力信号とし、前記狭帯域増幅器の振幅直線性歪みおよび位相直線性歪みの少なくとも一方を補正するために、前記歪み特性に応じた歪み成分を前記入力信号に付与する入力信号処理部とを有する信号補正装置を備えた送信器において、
前記歪み成分が付与された前記入力信号に搬送波を乗じてディジタル変調を行ってから該入力信号を前記狭帯域増幅器に供給し、該狭帯域増幅器から、前記振幅直線性歪みおよび前記位相直線性歪みの少なくとも一方が補正された特定の周波数帯域の信号を送信するように構成されることを特徴とする送信器。
【請求項６】
狭帯域増幅器の振幅直線性歪みおよび位相直線性歪みの少なくとも一方に関する歪み特性を予め評価する高周波回路歪み特性評価手段と、
前記歪み特性の評価結果に基づいて設定されたローパスフィルタにより所定のローパス特性を持たせた複素数信号の実部信号および虚部信号を入力信号とし、前記狭帯域増幅器の振幅直線性歪みおよび位相直線性歪みの少なくとも一方を補正するために、前記歪み特性に応じた前記実部信号および前記虚部信号の絶対値または自乗和の関数を含む歪み成分を前記入力信号に付与する入力信号処理部とを有する信号補正装置を備えた送信器において、
前記歪み成分が付与された前記入力信号に対しディジタル直交変調を行ってから該入力信号を前記狭帯域増幅器に供給し、該狭帯域増幅器から、前記振幅直線性歪みおよび前記位相直線性歪みの少なくとも一方が補正された特定の周波数帯域の信号を送信するように構成されることを特徴とする送信器。
【請求項７】
高周波回路部の直線性歪みに関する歪み特性を予め評価し、該歪み特性の評価結果に基づいて得られる歪み補正関数を所定の入力信号に施し、前記高周波回路部の直線性歪みを補正するために、該歪み補正関数が施された入力信号を前記高周波回路部に供給することを特徴とする信号補正方法。
【請求項８】
高周波回路部の振幅直線性歪みおよび位相直線性歪みの少なくとも一方に関する歪み特性を予め評価し、該歪み特性の評価結果に基づいて得られる振幅歪み補正関数および位相歪み補正関数の少なくとも一方を所定の入力信号に施し、前記高周波回路部の振幅直線性歪みおよび位相直線性歪みの少なくとも一方を補正するために、該振幅歪み補正関数および該位相歪み補正関数の少なくとも一方が施された入力信号を前記高周波回路部に供給することを特徴とする信号補正方法。
【請求項９】
ローパスフィルタで濾波された同相成分ｘｉ及び直交成分ｘｑが供給され、後流側のパワーアンプの非線形性を改善するために該同相成分及び該直交成分を予め歪ませる歪補償装置において、
ベクトル（ｘｉ，ｘｑ）の大きさｘを算出する絶対値算出部と、
予め定められた前置歪関数ｈ（ｘ）を該大きさｘで除したと関数ｈ（ｘ）／ｘ又はその参照テーブルを用い、ローパスフィルタの出力ｘｉ及びｘｑをいずれもｈ（ｘ）／ｘ倍する前置歪部と、
を有することを特徴とする歪補償装置。
【請求項１０】
パワーアンプの非線形性を改善するために該パワーアンプの上流側の信号の振幅ｘを前置歪関数ｈ（ｘ）の値に予め歪ませる歪補償装置に用いられ、
該パワーアンプの入力振幅ｘに対する出力振幅を関数ｇ（ｘ）で表したとき、前置歪関数ｈ（ｘ）を該振幅ｘのべき展開で近似し、そのべき展開係数ｃ１〜ｃｎに初期値を与え、該振幅ｘが、角周波数ω１とω２のベースバンド信号の相互変調波の振幅であるとし、
関数ｇ（ｈ（ｘ））の１次のフーリエ係数に対する２次のフーリエ係数の比の絶対値εが略極小になるように該前置歪関数ｈ（ｘ）のべき展開係数ｃ１〜ｃｎを決定する、
プロセッサ（２Ｂ）を有することを特徴とする歪補償データ作成装置。
【手続補正２】
【補正対象書類名】明細書
【補正対象項目名】００４２
【補正方法】変更
【補正の内容】
【００４２】
本発明の歪補償装置では、例えば図１５に示す如く、ローパスフィルタで濾波された同相成分ｘｉ及び直交成分ｘｑが供給され、後流側のパワーアンプの非線形性を改善するために該同相成分及び該直交成分を予め歪ませる歪補償装置において、ベクトル（ｘｉ，ｘｑ）の大きさｘを算出する絶対値算出部（３０）と、予め定められた前置歪関数ｈ（ｘ）を該大きさｘで除したと関数ｈ（ｘ）／ｘ又はその参照テーブルを用い、ローパスフィルタの出力ｘｉ及びｘｑをいずれもｈ（ｘ）／ｘ倍する前置歪部（３１及び３２）とを有する。


【手続補正３】
【補正対象書類名】明細書
【補正対象項目名】００４３
【補正方法】変更
【補正の内容】
【００４３】
この歪補償装置によれば、同相成分ｘｉと直交成分ｘｑのベクトルの大きさｘに応じて関数ｈ（ｘ）／ｘを同相成分ｘｉと直交成分ｘｑとに乗じることにより、前置歪を容易かつ正確に行うことができるという効果を奏する。
本発明の他の歪補償装置では、上記歪補償装置において、例えば図１５に示す如く、予め定められた関数φ（ｘ）又はその参照テーブルを用い、上記ベクトル（ｘｉ，ｘｑ）又は上記前置歪部で生成されたベクトル（（ｈ／ｘ）ｘｉ，（ｈ／ｘ）ｘｑ）を、角度φ（ｘ）だけ回転させる前置位相回転部（２２）をさらに有する。


【手続補正４】
【補正対象書類名】明細書
【補正対象項目名】００４４
【補正方法】変更
【補正の内容】
【００４４】
この歪補償装置によれば、同相成分ｘｉと直交成分ｘｑのベクトルの大きさｘに応じて、ベクトル（同相成分，直交成分）をφ（ｘ）だけ回転させることにより、前置位相回転を容易かつ正確に行うことができるという効果を奏する。
本発明のデジタルシグナルプロセッサでは、上記歪補償装置の機能をプログラムで実現している。


【手続補正５】
【補正対象書類名】明細書
【補正対象項目名】００４５
【補正方法】変更
【補正の内容】
【００４５】
本発明の送信機では、例えば図１５に示す如く、上記歪補償装置（２２、３１及び３２）と、
該歪補償装置を通った該同相成分及び該直交成分で搬送波を直交変調する直交変調回路（７０）と、
該直交変調回路からの直交変調波を増幅するパワーアンプ（１０）とを有する。


【手続補正６】
【補正対象書類名】明細書
【補正対象項目名】００４６
【補正方法】変更
【補正の内容】
【００４６】
本発明の他の送信機では、上記送信機において、上記パワーアンプの入力振幅に対する出力振幅の関係を検出するアンプ特性検出部と、
該関係に基づいて、上記関数ｈ（ｘ）／ｘ又はその上記参照テーブルを決定する歪補償データ作成部とを有する。
本発明の他の送信機では、前記送信機において、上記歪補償データ作成部は、上記パワーアンプの入力振幅ｘに対する出力振幅を関数ｇ（ｘ）で表したとき、関数ｇ（ｈ（ｘ））がｘに比例するように上記関数ｈ（ｘ）／ｘ又はその上記参照テーブルを決定する。


【手続補正７】
【補正対象書類名】明細書
【補正対象項目名】００４７
【補正方法】変更
【補正の内容】
【００４７】
この送信機によれば、歪補償するための正確な関数ｈ（ｘ）を決定することができる。
本発明の他の送信機では、上記送信機において、上記歪補償データ作成部は、上記パワーアンプの入力振幅ｘに対する出力振幅を関数ｇ（ｘ）で表したとき、上記前置歪関数ｈ（ｘ）を該振幅ｘのべき展開で近似し、そのべき展開係数ｃ１〜ｃｎに初期値を与え、該振幅ｘが、角周波数ω１とω２のベースバンド信号の相互変調波の振幅であるとし、
関数ｇ（ｈ（ｘ））の１次のフーリエ係数に対する２次のフーリエ係数の比の絶対値εが略極小になるように該前置歪関数ｈ（ｘ）のべき展開係数ｃ１〜ｃｎを決定するプロセッサを有する。


【手続補正８】
【補正対象書類名】明細書
【補正対象項目名】００４８
【補正方法】変更
【補正の内容】
【００４８】
この送信機によれば、パワーアンプの非線形性の補正を適度に行って、隣接チャンネルへの漏れ電力（サイドロープの電力）が許容値を越えないように平均送信電力をより高めるための前置歪関数ｈ（ｘ）を、容易かつ効果的に得ることができるという効果を奏する。
本発明の他の送信機では、前記送信機において、記歪補償データ作成部は、上記パワーアンプの入力振幅の最大値に応じて、上記相互変調波の振幅の振幅を決定する。


【手続補正９】
【補正対象書類名】明細書
【補正対象項目名】００４９
【補正方法】変更
【補正の内容】
【００４９】
この送信機によれば、パワーアンプの出力のクリッピングを防止するとともに、パワーアンプの出力をより高くすることができる前置歪関数ｈ（ｘ）を得ることができるという効果を奏する。
本発明の他の送信機では、前記送信機において、上記比εを算出し最急降下法で上記係数ｃ１〜ｃｎを変化させるステップを、該比εの変化が所定値より小さくなるまで繰り返す。


【手続補正１０】
【補正対象書類名】明細書
【補正対象項目名】００５０
【補正方法】変更
【補正の内容】
【００５０】
本発明の他の送信機では、前記送信機において、上記アンプ特性検出部はさらに、上記パワーアンプの入力振幅がｘの時の入力に対する出力の位相のずれを検出し、
上記歪補償データ作成部はさらに、該位相のずれを表す関数φ（ｘ）又はその上記参照テーブルを決定する。


【手続補正１１】
【補正対象書類名】明細書
【補正対象項目名】００５１
【補正方法】変更
【補正の内容】
【００５１】
本発明の歪補償データ作成装置では、例えば図１５に示す如く、パワーアンプの非線形性を改善するために該パワーアンプの上流側の信号の振幅ｘを前置歪関数ｈ（ｘ）の値に予め歪ませる歪補償装置に用いられ、
該パワーアンプの入力振幅ｘに対する出力振幅を関数ｇ（ｘ）で表したとき、前置歪関数ｈ（ｘ）を該振幅ｘのべき展開で近似し、そのべき展開係数ｃ１〜ｃｎに初期値を与え、該振幅ｘが、角周波数ω１とω２のベースバンド信号の相互変調波の振幅であるとし、
関数ｇ（ｈ（ｘ））の１次のフーリエ係数に対する２次のフーリエ係数の比の絶対値εが略極小になるように該前置歪関数ｈ（ｘ）のべき展開係数ｃ１〜ｃｎを決定するプロセッサ（２Ｂ）を有する。


【手続補正１２】
【補正対象書類名】明細書
【補正対象項目名】００５２
【補正方法】変更
【補正の内容】
【００５２】
本発明の他の歪補償データ作成装置では、前記歪補償データ作成装置において、上記パワーアンプの入力振幅の最大値に応じて、上記相互変調波の振幅の振幅を決定する。


【手続補正１３】
【補正対象書類名】明細書
【補正対象項目名】０１６０
【補正方法】変更
【補正の内容】
【０１６０】
（Ｓ２）ｈ（ｘ）をｘのＮ次式で近似したときのべき展開係数ｃ１〜ｃＮに初期値を与える。ｇ（ｘ）が線形のときｈ＝ｘであるので、初期値としてｃ１＝１、ｃｊ＝０（ｊ＝２〜Ｎ）とするのが最も自然である。
（Ｓ３）時間ｔに対するｈ（ｘ（ｔ））の波形を数値計算で求める。ここに、ｘ（ｔ）＝２Ａ｜（ｃｏｓ（（ω１−ω２）ｔ／２））｜である。


【手続補正１４】
【補正対象書類名】明細書
【補正対象項目名】０１９０
【補正方法】変更
【補正の内容】
【０１９０】
抱絡線伝達関数ｇ（ｘ）は、変調器や中間周波回路、さらには歪み特性補正部の後のローパスフィルタ回路の直線性歪みを含むことができ、これら全ての回路を補正することが可能となる。直線性を測定し、この直線性に追従したり同直線性を予測したりすることにより、歪み特性補正の対象とする高周波回路の特性の変化に対応できる。多くの処理は、送信器に既に内蔵されたＤＳＰを用いて行うことができ、係数の変更を行う場合にも間欠的に行うことにより処理量の増加は軽微である。係数の追従が間に合わない場合、例えば、電源投入直後等は、妨害量の許容範囲を越えないように送信出力を制限する機能を合わせて持たせることによって、信頼度の高い通信が可能となる。
以上の説明から明らかなように、本発明は以下の付記項を含む。
（付記１）高周波回路部の直線性歪みに関する歪み特性を予め評価する高周波回路歪み特性評価手段と、
該歪み特性の評価結果に基づいて得られる歪み補正関数を所定の入力信号に施し、該入力信号を前記高周波回路部に供給して該高周波回路部の直線性歪みを補正するための入力信号処理部とを備えることを特徴とする信号補正装置。
（付記２）前記高周波回路部の前記歪み特性として、変数ｘを入力振幅とする抱絡線伝達関数ｇ（ｘ）を求め、
前記歪み補正関数として、前記抱絡線伝達関数ｇ（ｘ）から、ａを定数としてａｘ＝ｇ（ｈ（ｘ））の関係が成立するように前記高周波回路部の振幅直線性歪みに対する振幅歪み補正関数ｈ（ｘ）を求めるか、または、前記抱絡線伝達関数ｇ（ｘ）から、ｃを定数としてｃ＝ｇ（ｐ（ｘ））の関係が成立するように前記高周波回路部の位相直線性歪みに対する位相歪み補正関数ｐ（ｘ）を求める付記１記載の信号補正装置。
（付記３）高周波回路部の振幅直線性歪みおよび位相直線性歪みの少なくとも一方に関する歪み特性を予め評価する高周波回路歪み特性評価手段と、
該歪み特性の評価結果に基づいて得られる振幅歪み補正関数および位相歪み補正関数の少なくとも一方を所定の入力信号に施し、該入力信号を前記高周波回路部に供給して該高周波回路部の振幅直線性歪みおよび位相直線性歪みの少なくとも一方を補正するための入力信号処理部とを備えることを特徴とする信号補正装置。
（付記４）前記高周波回路部の前記歪み特性として、変数ｘを入力振幅とする抱絡線伝達関数ｇ（ｘ）を求め、
該抱絡線伝達関数ｇ（ｘ）から、ａを定数としてａｘ＝ｇ（ｈ（ｘ））の関係が成立するように前記高周波回路部の振幅直線性歪みに対する振幅歪み補正関数ｈ（ｘ）を求めるか、または、前記抱絡線伝達関数ｇ（ｘ）から、ｃを定数としてｃ＝ｇ（ｐ（ｘ））の関係が成立するように前記高周波回路部の位相直線性歪みに対する位相歪み補正関数ｐ（ｘ）を求める付記３記載の信号補正装置。
（付記５）前記高周波回路部の前記歪み特性として、変数ｘを入力振幅とする抱絡線伝達関数ｇ（ｘ）をｇ（ｘ）＝ａ0＋ａ1ｘ＋ｇ′（ｘ）のように近似し、ここに、ａ0およびａ1は任意の定数、また一方でｇ′（ｘ）は任意の多項式であり、前記振幅歪み補正関数が、ｘ×（１−ｇ′（ｘ）／ｇ（ｘ））のように表される付記３記載の信号補正装置。
（付記６）前記の定数ａ0をａ0＝０とする付記５記載の信号補正装置。
（付記７）前記抱絡線伝達関数ｇ（ｘ）＝ａ0＋ａ1ｘ＋ｇ′（ｘ）の多項式ｇ′（ｘ）が、ｇ′（ｘ）＝Σi=2Nａiｘiのように表され、ここに、ｉおよびＮは２以上の正の整数であり、ａi  は任意の定数である付記５記載の信号補正装置。
（付記８）前記多項式ｇ′（ｘ）＝Σi=2Nａiｘiの中で、奇数次の項のみを用いる付記７記載の信号補正装置。
（付記９）前記位相歪み補正関数ｐ（ｘ）が、ｐ（ｘ）＝−ｇ（ｘ）のように表される付記３記載の信号補正装置。
（付記１０）前記入力信号が、前記歪み特性の評価結果に基づいて設定されたローパスフィルタを通過したローパス信号であり、該ローパス信号に対する前記位相歪み補正関数ｐ（ｘ）の周波数を上昇させることによって、前記高周波回路部の位相直線性歪みを補正するための中間周波数または高周波数の信号を得る付記４記載の信号補正装置。
（付記１１）前記入力信号に対する前記位相歪み補正関数ｐ（ｘ）の周波数を、ディジタル変調により上昇させる場合、前記入力信号として、ルート・ナイキスト特性を有する送信フィルタを通過した信号を用いる付記４記載の信号補正装置。
（付記１２）前記入力信号に対する位相歪み補正関数ｐ（ｘ）の周波数を、直交変調により上昇させる場合、前記入力信号として、前記歪み特性の評価結果に基づいて設定されたルート・ナイキスト特性を有するローパスフィルタを通過した複素数信号の実部信号および虚部信号を用いる付記４記載の信号補正装置。
（付記１３）前記入力信号が、前記歪み特性の評価結果に基づいて設定されたローパスフィルタを通過したローパス信号であり、該ローパス信号の周波数を上昇させた後に、前記高周波回路部内の第１の増幅器に入力し、該ローパス信号と実質的に同じローパス信号に対する前記位相歪み補正関数の周波数を上昇させた後に、前記高周波回路部内の第２の増幅器に入力し、前記第１の増幅器および前記第２の増幅器の出力信号を加算することによって、前記振幅直線性歪みの小さな出力信号を得る付記３記載の信号補正装置。
（付記１４）前記第２の増幅器が、実質的に無歪みであり、前記第１の増幅器の前記位相直線性歪みのみを補正する付記１３記載の信号補正装置。
（付記１５）前記第１の増幅器の前記位相直線性歪みを補正すると共に、前記第２の増幅器の前記位相直線性歪みを補正する付記１３記載の信号補正装置。
（付記１６）前記入力信号が、前記歪み特性の評価結果に基づいて設定されたローパスフィルタを通過したローパス信号であり、該ローパス信号の周波数を上昇させた後に、前記高周波回路部内の第１の増幅器に入力し、該ローパス信号と実質的に同じローパス信号に対する前記振幅歪み補正関数の周波数を上昇させた後に、前記高周波回路部内の第２の増幅器に入力し、前記第１の増幅器および前記第２の増幅器の出力信号を加算することによって、前記振幅直線性歪みの小さな出力信号を得る付記３記載の信号補正装置。
（付記１７）前記第２の増幅器が、実質的に無歪みであり、前記第１の増幅器の前記振幅直線性歪みのみを補正する付記１６記載の信号補正装置。
（付記１８）前記第１の増幅器の前記振幅直線性歪みを補正すると共に、前記第２の増幅器の前記振幅直線性歪みを補正する付記１６記載の信号補正装置。
（付記１９）前記入力信号が、前記歪み特性の評価結果に基づいて設定されたローパスフィルタを通過したローパス信号であり、該ローパス信号に対する前記振幅歪み補正関数を求め、該振幅歪み補正関数の位相歪み補正関数の周波数を上昇させることによって、前記高周波回路部の振幅直線性歪みおよび位相直線性歪みを補正するための中間周波数または高周波数の信号を得る付記３記載の信号補正装置。
（付記２０）前記抱絡線伝達関数ｇ（ｘ）が、表関数を含む任意の関数であり、前記振幅歪み補正関数ｈ（ｘ）および前記位相歪み補正関数ｐ（ｘ）の少なくとも一方が、多項級数からなる展開式であり、該展開式の各次の係数を求めることによって、前記振幅歪み補正関数ｈ（ｘ）および前記位相歪み補正関数ｐ（ｘ）の少なくとも一方を得る付記４記載の信号補正装置。
（付記２１）前記振幅歪み補正関数ｈ（ｘ）および前記位相歪み補正関数ｐ（ｘ）の少なくとも一方が固定されている付記４記載の信号補正装置。
（付記２２）前記高周波回路部が複数設けられる場合、前記振幅歪み補正関数ｈ（ｘ）および前記位相歪み補正関数ｐ（ｘ）の少なくとも一方が、個々の前記高周波回路部毎、または該高周波回路部の製造条件が類似の集団毎に固定されている付記４記載の信号補正装置。
（付記２３）前記高周波回路部の動作中に、間欠的にまたは常時、前記抱絡線伝達関数ｇ（ｘ）を測定し、該記抱絡線伝達関数ｇ（ｘ）の測定結果に応じて前記振幅歪み補正関数ｈ（ｘ）および前記位相歪み補正関数ｐ（ｘ）の少なくとも一方を変更する付記４記載の信号補正装置。
（付記２４）高周波回路部の直線性歪みに関する歪み特性を予め評価する高周波回路歪み特性評価手段と、
該歪み特性の評価結果に基づいて得られる歪み補正関数を所定の入力信号に施し、該入力信号を前記高周波回路部に供給して該高周波回路部の直線性歪みを補正するための入力信号処理部とを有する信号補正装置を備えた送信器において、
前記高周波回路部から、前記直線性歪みが補正された特定の周波数帯域の信号を送信するように構成されることを特徴とする送信器。
（付記２５）高周波回路部の振幅直線性歪みおよび位相直線性歪みの少なくとも一方に関する歪み特性を予め評価する高周波回路歪み特性評価手段と、
該歪み特性の評価結果に基づいて得られる振幅歪み補正関数および位相歪み補正関数の少なくとも一方を所定の入力信号に施し、該入力信号を前記高周波回路部に供給して前記高周波回路部の振幅直線性歪みおよび位相直線性歪みの少なくとも一方を補正するための入力信号処理部とを有する信号補正装置を備えた送信器において、
前記高周波回路部から、前記振幅直線性歪みおよび前記位相直線性歪みの少なくとも一方が補正された特定の周波数帯域の信号を送信するように構成されることを特徴とする送信器。
（付記２６）狭帯域増幅器の振幅直線性歪みおよび位相直線性歪みの少なくとも一方に関する歪み特性を予め評価する高周波回路歪み特性評価手段と、
前記歪み特性の評価結果に基づいて設定されたディジタルフィルタにより所定のローパス特性を持たせたローパス信号を入力信号とし、前記狭帯域増幅器の振幅直線性歪みおよび位相直線性歪みの少なくとも一方を補正するために、前記歪み特性に応じた歪み成分を前記入力信号に付与する入力信号処理部とを有する信号補正装置を備えた送信器において、
前記歪み成分が付与された前記入力信号に搬送波を乗じてディジタル変調を行ってから該入力信号を前記狭帯域増幅器に供給し、該狭帯域増幅器から、前記振幅直線性歪みおよび前記位相直線性歪みの少なくとも一方が補正された特定の周波数帯域の信号を送信するように構成されることを特徴とする送信器。
（付記２７）狭帯域増幅器の振幅直線性歪みおよび位相直線性歪みの少なくとも一方に関する歪み特性を予め評価する高周波回路歪み特性評価手段と、
前記歪み特性の評価結果に基づいて設定されたローパスフィルタにより所定のローパス特性を持たせた複素数信号の実部信号および虚部信号を入力信号とし、前記狭帯域増幅器の振幅直線性歪みおよび位相直線性歪みの少なくとも一方を補正するために、前記歪み特性に応じた前記実部信号および前記虚部信号の絶対値または自乗和の関数を含む歪み成分を前記入力信号に付与する入力信号処理部とを有する信号補正装置を備えた送信器において、
前記歪み成分が付与された前記入力信号に対しディジタル直交変調を行ってから該入力信号を前記狭帯域増幅器に供給し、該狭帯域増幅器から、前記振幅直線性歪みおよび前記位相直線性歪みの少なくとも一方が補正された特定の周波数帯域の信号を送信するように構成されることを特徴とする送信器。
（付記２８）高周波回路部の直線性歪みに関する歪み特性を予め評価し、該歪み特性の評価結果に基づいて得られる歪み補正関数を所定の入力信号に施し、前記高周波回路部の直線性歪みを補正するために、該歪み補正関数が施された入力信号を前記高周波回路部に供給することを特徴とする信号補正方法。
（付記２９）高周波回路部の振幅直線性歪みおよび位相直線性歪みの少なくとも一方に関する歪み特性を予め評価し、該歪み特性の評価結果に基づいて得られる振幅歪み補正関数および位相歪み補正関数の少なくとも一方を所定の入力信号に施し、前記高周波回路部の振幅直線性歪みおよび位相直線性歪みの少なくとも一方を補正するために、該振幅歪み補正関数および該位相歪み補正関数の少なくとも一方が施された入力信号を前記高周波回路部に供給することを特徴とする信号補正方法。
（付記３０）ローパスフィルタで濾波された同相成分ｘｉ及び直交成分ｘｑが供給され、後流側のパワーアンプの非線形性を改善するために該同相成分及び該直交成分を予め歪ませる歪補償装置において、
ベクトル（ｘｉ，ｘｑ）の大きさｘを算出する絶対値算出部と、
予め定められた前置歪関数ｈ（ｘ）を該大きさｘで除したと関数ｈ（ｘ）／ｘ又はその参照テーブルを用い、ローパスフィルタの出力ｘｉ及びｘｑをいずれもｈ（ｘ）／ｘ倍する前置歪部と、
を有することを特徴とする歪補償装置。
（付記３１）予め定められた関数φ（ｘ）又はその参照テーブルを用い、上記ベクトル（ｘｉ，ｘｑ）又は上記前置歪部で生成されたベクトル（（ｈ／ｘ）ｘｉ，（ｈ／ｘ）ｘｑ）を、角度φ（ｘ）だけ回転させる前置位相回転部をさらに有することを特徴とする付記３０記載の歪補償装置。
（付記３２）付記３０又は３１記載の歪補償装置の機能をプログラムで実現していることを特徴とするデジタルシグナルプロセッサ。
（付記３３）付記３０又は３１記載の歪補償装置と、
該歪補償装置を通った該同相成分及び該直交成分で搬送波を直交変調する直交変調回路と、
該直交変調回路からの直交変調波を増幅するパワーアンプと、
を有することを特徴とする送信機。
（付記３４）上記パワーアンプの入力振幅に対する出力振幅の関係を検出するアンプ特性検出部と、
該関係に基づいて、上記関数ｈ（ｘ）／ｘ又はその上記参照テーブルを決定する歪補償データ作成部と、
を有することを特徴とする付記３３記載の送信機。
（付記３５）上記歪補償データ作成部は、上記パワーアンプの入力振幅ｘに対する出力振幅を関数ｇ（ｘ）で表したとき、関数ｇ（ｈ（ｘ））がｘに比例するように上記関数ｈ（ｘ）／ｘ又はその上記参照テーブルを決定することを特徴とする付記３４記載の送信機。
（付記３６）上記歪補償データ作成部は、
上記パワーアンプの入力振幅ｘに対する出力振幅を関数ｇ（ｘ）で表したとき、上記前置歪関数ｈ（ｘ）を該振幅ｘのべき展開で近似し、そのべき展開係数ｃ１〜ｃｎに初期値を与え、該振幅ｘが、角周波数ω１とω２のベースバンド信号の相互変調波の振幅であるとし、
関数ｇ（ｈ（ｘ））の１次のフーリエ係数に対する２次のフーリエ係数の比の絶対値εが略極小になるように該前置歪関数ｈ（ｘ）のべき展開係数ｃ１〜ｃｎを決定するプロセッサを有することを特徴とする付記３４記載の送信機。
（付記３７）上記歪補償データ作成部は、上記パワーアンプの入力振幅の最大値に応じて、上記相互変調波の振幅の振幅を決定することを特徴とする付記３６記載の送信機。
（付記３８）上記比εを算出し最急降下法で上記係数ｃ１〜ｃｎを変化させるステップを、該比εの変化が所定値より小さくなるまで繰り返す、ことを特徴とする付記３６又は３７記載の送信機。
（付記３９）上記アンプ特性検出部はさらに、上記パワーアンプの入力振幅がｘの時の入力に対する出力の位相のずれを検出し、上記歪補償データ作成部はさらに、該位相のずれを表す関数φ（ｘ）又はその上記参照テーブルを決定する、ことを特徴とする付記３５乃至３８のいずれか１つに記載の送信機。
（付記４０）パワーアンプの非線形性を改善するために該パワーアンプの上流側の信号の振幅ｘを前置歪関数ｈ（ｘ）の値に予め歪ませる歪補償装置に用いられ、
該パワーアンプの入力振幅ｘに対する出力振幅を関数ｇ（ｘ）で表したとき、前置歪関数ｈ（ｘ）を該振幅ｘのべき展開で近似し、そのべき展開係数ｃ１〜ｃｎに初期値を与え、該振幅ｘが、角周波数ω１とω２のベースバンド信号の相互変調波の振幅であるとし、
関数ｇ（ｈ（ｘ））の１次のフーリエ係数に対する２次のフーリエ係数の比の絶対値εが略極小になるように該前置歪関数ｈ（ｘ）のべき展開係数ｃ１〜ｃｎを決定する、
プロセッサ（２Ｂ）を有することを特徴とする歪補償データ作成装置。
（付記４１）上記パワーアンプの入力振幅の最大値に応じて、上記相互変調波の振幅の振幅を決定することを特徴とする付記４０記載の歪補償データ作成装置。